(57)【特許請求の範囲】
【請求項１】
枠体と、該枠体に回動自在に取り付けられグリップ部を有する操作ハンドルと、該操作ハンドルにリンク機構を介して連結された回動自在のフックと、上記操作ハンドルに対し摺動自在のロック解除ハンドルとを備え、上記フックの回転中心を上記操作ハンドルのグリップ部と上記操作ハンドルの回転中心との間に配置し、上記リンク機構の一部に凹部を形成するとともに、上記ロック解除ハンドルにロックピンを突設させ、ストレッチャに対するロックを解除した状態では、上記操作ハンドルは押下されており、ストレッチャをロックする場合には、上記操作ハンドルのグリップ部を持ち上げて、上記フックを上記リンク機構を介して回転させて上記ロックピンを上記凹部に嵌入させることにより上記フックをロックするようにしたストレッチャのロック機構。
【請求項２】
上記操作ハンドルのグリップ部と上記ロック解除ハンドルのグリップ部を近接させ略平行に延在せしめた請求項１に記載のストレッチャのロック機構。
【請求項３】
弾性手段の付勢力により上記ロック解除ハンドルのグリップ部を上記操作ハンドルのグリップ部に対し離反させて上記フックをロックする一方、上記弾性手段の付勢力に抗して上記ロック解除ハンドルのグリップ部を上記操作ハンドルのグリップ部に接近させてロック解除を行うようにした請求項２に記載のストレッチャのロック機構。
【請求項４】
ストレッチャ除振台に取り付けられ、該ストレッチャ除振台に対する前後位置を調節できるようにした請求項１乃至３のいずれか１項に記載のストレッチャのロック機構。
【発明の詳細な説明】
【０００１】
【発明の属する技術分野】
本発明は、傷病者を救急車内に搬送するストレッチャのロック機構に関し、特にストレッチャ後部のロック機構に関する。
【０００２】
【従来の技術】
ストレッチャは傷病者を救急車内に搬送するために使用され、救急車内に搬送後ストレッチャを除振台等に載置し、さらにロック機構によりストレッチャを除振台等に固定しているのが一般的である。
【０００３】
【発明が解決しようとする課題】
従来のストレッチャのロック機構には、一般にラチェット機構が採用されており、ストレッチャをロックする場合、フックを起こし前進させてラチェット機構によりロックする一方、ロックを解除する場合、爪を外すとともにフックを後退させる必要があった。
【０００４】
したがって、必然的に両手を使用する必要があり、操作が面倒であるばかりでなく、ロック及びロック解除を素早く行うことができなかった。
【０００５】
本発明は、従来技術の有するこのような問題点に鑑みてなされたものであり、ロック及びロック解除を片手で簡単に素早く行うことができる信頼性の高いストレッチャのロック機構を提供することを目的としている。
【０００６】
【課題を解決するための手段】
上記目的を達成するために、本発明のうちで請求項１に記載の発明は、枠体と、該枠体に回動自在に取り付けられグリップ部を有する操作ハンドルと、該操作ハンドルにリンク機構を介して連結された回動自在のフックと、上記操作ハンドルに対し摺動自在のロック解除ハンドルとを備え、上記フックの回転中心を上記操作ハンドルのグリップ部と上記操作ハンドルの回転中心との間に配置し、上記リンク機構の一部に凹部を形成するとともに、上記ロック解除ハンドルにロックピンを突設させ、ストレッチャに対するロックを解除した状態では、上記操作ハンドルは押下されており、ストレッチャをロックする場合には、上記操作ハンドルのグリップ部を持ち上げて、上記フックを上記リンク機構を介して回転させて上記ロックピンを上記凹部に嵌入させることにより上記フックをロックするようにしたストレッチャのロック機構である。
【０００８】
さらに、請求項２に記載の発明は、上記操作ハンドルのグリップ部と上記ロック解除ハンドルのグリップ部を近接させ略平行に延在せしめたことを特徴とする。
【０００９】
また、請求項３に記載の発明は、弾性手段の付勢力により上記ロック解除ハンドルのグリップ部を上記操作ハンドルのグリップ部に対し離反させて上記フックをロックする一方、上記弾性手段の付勢力に抗して上記ロック解除ハンドルのグリップ部を上記操作ハンドルのグリップ部に接近させてロック解除を行うようにしたことを特徴とする。
【００１０】
また、請求項４に記載の発明は、ストレッチャ除振台に取り付けられ、該ストレッチャ除振台に対する前後位置を調節できるようにしたことを特徴とする。
【００１１】
【発明の実施の形態】
以下、本発明の実施の形態について、図面を参照しながら説明する。
図１及び図２は、救急車内に取り付けられるストレッチャ除振台を示しており、傷病者を載せたストレッチャを載置し、ストレッチャに入力される振動を吸収（除振）することにより、傷病者に加わる負担を軽減する。
【００１２】
図１及び図２に示されるように、ストレッチャ除振台は、前部ロック機構ＦＬと本発明にかかる後部ロック機構ＲＬとを備えており、図１に示されるロック解除状態で傷病者を載せたストレッチャを載置した後、図２に示されるように、ストレッチャの前部及び後部を前部ロック機構ＦＬ及び後部ロック機構ＲＬでロックすることによりストレッチャを固定する。
【００１３】
以下、本発明にかかる後部ロック機構ＲＬの構成及び作用の説明をするが、前部ロック機構ＦＬは本発明の主題ではないので、その説明は省略する。
【００１４】
図３乃至図７に示されるように、ロック機構ＲＬは、ストレッチャ除振台に取り付けられる枠体２と、枠体２の両側に設けられた一対の取付部４，４に回動自在に取り付けられた略Ｕ字状の操作ハンドル６と、ストレッチャをロックするためのフック８とを備えている。
【００１５】
フック８は、枠体２上に配設されたブラケット１０に回動軸１２を介して回動自在に取り付けられており、その中間部には揺動軸１４が設けられている。ブラケット１０はアジャストボルト１６の一端に連結されており、アジャストボルト１６の他端は、ストレッチャ除振台に螺着された固定部材１８にナット２０で固定されている。
【００１６】
揺動軸１４の両端は、リンクアーム２４，２４の一端に回動自在に取り付けられており、リンクアーム２４，２４の他端は、ピン２６，２６を介して操作ハンドル６に回動自在に取り付けられている。また、リンクアーム２４，２４のピン２６，２６近傍の外周部には、ロックピン（後述）が嵌入する凹部２４ａ，２４ａが形成されている。
【００１７】
操作ハンドル６の内側には、略Ｕ字状のロック解除ハンドル２８が設けられており、ピン２６，２６はロック解除ハンドル２８に穿設された長孔（図示せず）に遊挿され、長孔の近傍にはロックピン３０が内方に向かって突設されている。ロック解除ハンドル２８には、さらに別の長孔３２，３２が穿設されており、この長孔３２，３２に遊挿されたピン３４，３４を介してロック解除ハンドル２８は操作ハンドル６に摺動自在に取り付けられている。
【００１８】
なお、ロック解除ハンドル２８のグリップ部２８ａは操作ハンドル６のグリップ部６ａに近接して略平行に延在しており、ロック解除ハンドル２８の下端部（グリップ部２８ａの反対側の端部）には、コイルスプリング３６，３６の一端が係止されるとともに、コイルスプリング３６，３６の他端は、操作ハンドル６の下端部に植設されたピン３８，３８に係止されている。
【００１９】
上記構成の本発明にかかるロック機構ＲＬの作用について以下説明する。
ストレッチャのロックが解除されている場合には、図１に示されるように、ストレッチャの出し入れの妨げにならないようロック機構ＲＬの全体がストレッチャ除振台の上面より下側に収納されている。
【００２０】
このロック解除時には、図３及び図４に示されるように、操作ハンドル６は押下されており、ロック解除ハンドル２８も操作ハンドル６とともに下降し、そのグリップ部２８ａは操作ハンドル６のグリップ部６ａに最も接近した位置にある。この時、フック８はリンクアーム２４，２４等のリンク機構を介して略水平に保持されており、リンクアーム２４，２４の側部はロックピン３０，３０に当接している。
【００２１】
傷病者を載せたストレッチャを救急車内に搬送し、除振台に載置した後、ストレッチャをロックする場合には、図５乃至図７に示されるように、操作ハンドル６のグリップ部６ａを持ち上げると、ロック解除ハンドル２８も同時に持ち上がり、リンクアーム２４，２４はロックピン３０，３０に押圧される。この時、フック８の中間部に取り付けられた揺動軸１４は前方に移動するので、フック８はロック位置（起立位置）に向かって回動軸１２廻りに回動する。
【００２２】
フック８がロック位置に達すると、リンクアーム２４，２４のピン２６，２６端部側に形成された凹部２４ａ，２４ａにロックピン３０，３０が嵌入し、ロック解除ハンドル２８はコイルスプリング３６，３６の付勢力により操作ハンドル６のグリップ部６ａから最も離反した位置まで移動し、保持される。
【００２３】
このロック位置において、ストレッチャの被ロック部（図示せず）はフック８によりロックされ、リンクアーム２４，２４の凹部２４ａ，２４ａへのロックピン３０，３０の嵌入により外部からの振動でロックが解除することはない。
【００２４】
ストレッチャのロックを解除したい場合には、操作ハンドル６のグリップ部６ａとロック解除ハンドル２８のグリップ部２８ａを握り、コイルスプリング３６，３６の付勢力に抗してグリップ部２８ａをグリップ部６ａに接近させると、ロックピン３０，３０がリンクアーム２４，２４の凹部２４ａ，２４ａから離脱する。
【００２５】
その後、操作ハンドル６をロック解除ハンドル２８とともに下降させると、リンク機構を介してフック８が回動軸１２廻りに回動して、図３及び図４のロック解除位置に到達する。
【００２６】
なお、上記ロック機構ＲＬは、ストレッチャ除振台に枠体２の長孔２ａ，２ａを介して螺着されるとともにナット２０を設けた固定部材１８と、ナット２０と螺合するアジャストボルト１６とにより位置決めされているので、アジャストボルト１６を回転させることにより前後位置を適宜調節することができ、ストレッチャのバラツキを吸収してストレッチャを確実にロックすることができる。
【００２７】
また、上記実施の形態において、引張スプリング３６，３６によりロック解除ハンドル２８をロック位置に向かって付勢する構成としたが、引張スプリング３６，３６に代えて、操作ハンドル６のグリップ部６ａとロック解除ハンドル２８のグリップ部２８ａとの間に圧縮スプリングを設けてもよい。
【００２８】
【発明の効果】
本発明は、以上説明したように構成されているので、以下に記載されるような効果を奏する。
本発明のうちで請求項１に記載の発明によれば、操作ハンドルに対し摺動自在に取り付けられたロックピンをリンク機構の一部に形成された凹部に嵌入させることによりフックをロックする一方、凹部からロックピンを離脱させることによりロック解除を行うようにしたので、ロックピンを凹部へ嵌入あるいは離脱させるだけの簡単な操作でロックあるいはロック解除を素早く行うことができる。
【００２９】
また、操作ハンドルに対し摺動自在に設けられたロック解除ハンドルにロックピンを突設させたので、ロック解除ハンドルを片手で操作することによりロックあるいはロック解除を容易に行うことができる。
【００３０】
さらに、請求項２に記載の発明によれば、操作ハンドルのグリップ部とロック解除ハンドルのグリップ部を近接させ略平行に延在せしめたので、二つのグリップ部を片手で握るだけの簡単な操作でロック解除を素早く行うことができる。
【００３１】
また、請求項３に記載の発明によれば、弾性手段の付勢力によりロック解除ハンドルのグリップ部を操作ハンドルのグリップ部に対し離反させてフックをロックする一方、弾性手段の付勢力に抗してロック解除ハンドルのグリップ部を操作ハンドルのグリップ部に接近させてロック解除を行うようにしたので、二つのグリップ部を片手で握るだけの簡単な操作でロック解除を行うことができるとともに、グリップ部より片手を離すと弾性手段の付勢力により容易にロックすることができる。
【００３２】
また、請求項４に記載の発明によれば、ロック機構のストレッチャ除振台に対する前後位置を調節できるようにしたので、ストレッチャのバラツキを吸収することができ、信頼性の高いロック機構を提供することができる。
【図面の簡単な説明】
【図１】  本発明にかかるロック機構を備えたストレッチャ除振台のロック解除時の斜視図である。
【図２】  図１のストレッチャ除振台のロック時の斜視図である。
【図３】  ロック解除時のロック機構を上方から見た時の斜視図である。
【図４】  図３のロック機構を上方の別の角度から見た時の斜視図である。
【図５】  ロック時のロック機構を上方から見た時の斜視図である。
【図６】  図５のロック機構を上方の別の角度から見た時の斜視図である。
【図７】  図５のロック機構の平面図である。
【符号の説明】
２    枠体
２ａ  長孔
４    取付部
６    操作ハンドル
６ａ  グリップ部
８    フック
１０  ブラケット
１２  回動軸
１４  揺動軸
１６  アジャストボルト
１８  固定部材
２０  ナット
２４  リンクアーム
２４ａ  凹部
２６，３４,３８  ピン
２８  ロック解除ハンドル
２８ａ  グリップ部
３０  ロックピン
３２  長孔
３６  コイルスプリング
ＦＬ  前部ロック機構
ＲＬ  後部ロック機構
【図１】
0004262351.tif 000002
【図２】
0004262351.tif 000003
【図３】
0004262351.tif 000004
【図４】
0004262351.tif 000005
【図５】
0004262351.tif 000006
【図６】
0004262351.tif 000007
【図７】
0004262351.tif 000008